(57)【要約】【課題】軟包装袋において、一旦開封して具材や調味料を添加して再封止した上で、そのまま電子レンジで加熱することのできる包装袋を提案するものである。【解決手段】基材層１６とシーラント層１８を有する表面積層体２と裏面積層体３のシーラント層同士を対向させ、周縁を熱シールして収納部８を形成してなる包装袋１であって、包装袋の上部に、開封した包装袋を再封止するための、合成樹脂製ファスナー１０を備え、前記収納部を形成する表面積層体には、加熱によって発生した水蒸気によって包装袋の内圧が高まった時に自動的に水蒸気を開放するための通蒸機構１１を有し、前記合成樹脂製ファスナーは、嵌合突起と、これに嵌合する嵌合溝をそれぞれ１列づつ有し、閉じた状態を内側から開く場合の嵌合強度が８０Ｎ／５０ｍｍ以上であり、閉じた状態を外側から開く場合の嵌合強度が１０Ｎ／５０ｍｍ以下であることを特徴とする包装袋である。【選択図】図１
2019177895.tif 000002
【特許請求の範囲】
【請求項１】
それぞれ基材層とシーラント層を有する表面積層体と裏面積層体のシーラント層同士を対向させ、周縁を熱シールして収納部を形成してなる包装袋であって、包装袋の上部に、開封した包装袋を再封止するための、合成樹脂製ファスナーを備え、前記収納部を形成する表面積層体には、加熱によって発生した水蒸気によって包装袋の内圧が高まった時に自動的に水蒸気を開放するための通蒸機構を有し、前記合成樹脂製ファスナーは、嵌合突起と、これに嵌合する嵌合溝をそれぞれ１列づつ有し、閉じた状態を内側から開く場合の嵌合強度が８０Ｎ／５０ｍｍ以上であり、閉じた状態を外側から開く場合の嵌合強度が１０Ｎ／５０ｍｍ以下であることを特徴とする包装袋。
【請求項２】
それぞれ基材層とシーラント層を有する表面積層体と裏面積層体のシーラント層同士を対向させ、周縁を熱シールして収納部を形成してなる包装袋であって、包装袋の上部に、開封した包装袋を再封止するための、合成樹脂製ファスナーを備え、前記収納部を形成する表面積層体には、加熱によって発生した水蒸気によって包装袋の内圧が高まった時に自動的に水蒸気を開放するための通蒸機構を有し、前記合成樹脂製ファスナーは、嵌合突起と、これに嵌合する嵌合溝をそれぞれ２列づつ有し、閉じた状態を内側から開く場合の嵌合強度が６０Ｎ／５０ｍｍ以上であり、閉じた状態を外側から開く場合の嵌合強度が１０Ｎ／５０ｍｍ以下であることを特徴とする包装袋。
【請求項３】
前記通蒸機構は、収納部に島状のシール部を形成し、該島状シール部内の表面積層体に全貫通孔または半貫通孔を設けたものであることを特徴とする請求項１または２に記載の包装袋。
【請求項４】
前記通蒸機構は、収納部にサイドシール部から張り出した突起状のシール部を形成し、該突起状シール部内の表面積層体に全貫通孔または半貫通孔を設けたものであることを特徴とする請求項１または２に記載の包装袋。
【請求項５】
前記通蒸機構は、収納部を形成する表面積層体に、基材層を貫通するかまたは貫通しない切り込み線を設けたものであることを特徴とする請求項１または２に記載の包装袋。
【請求項６】
表面積層体および裏面積層体を構成する基材層が、水蒸気および酸素の透過を抑制するガスバリア層を含むことを特徴とする請求項１〜５のいずれか１項に記載の包装袋。
【発明の詳細な説明】
【技術分野】
【０００１】
本発明は、内容物を収納した状態で電子レンジで加熱することのできる包装袋において、一旦開封して好みの具材や調味料を添加した後に電子レンジで加熱調理することのできる包装袋に関する。
【背景技術】
【０００２】
従来、軟包装袋に食品を収納した後、レトルト殺菌処理を施して長期保存を可能としたレトルト食品が広く普及している。層構成中にアルミニウム箔を用いた軟包装袋は、袋のまま電子レンジで加熱することができないため、袋ごと湯煎するか、あるいは一旦開封して内容物を他の容器に移してから電子レンジで加熱する必要があった。
【０００３】
しかし近年アルミニウム箔を用いないで、長期保存性を担保出来る包装袋が実用化されたため、包装袋のまま電子レンジで加熱する調理方法が一般的になりつつある。
【０００４】
合成樹脂フィルム等を用いた軟包装材料を用いて作成された包装袋に内容物を収納し、開封することなく、そのまま電子レンジで加熱調理することのできる包装体が提案されている。特許文献１に記載された自動調圧機能を有する包装用袋は、電子レンジ等による加熱に際し袋内が所定の内圧に達したときに、袋の特定の部位から袋内の圧力を確実に自動的に逃がすことができ、かつ製造工程的にも有利な自動調圧機能を有する包装用袋である。
【０００５】
特許文献１に記載された包装用袋は、基材フィルム（１ａ）／シーラント層（１ｂ）の層構成を有する第１フィルムと基材フィルム（２ａ）／シーラント層（２ｂ）／シーラント層（２ｃ）の層構成を有する第２フィルムとが、シーラント層１ｂ、２ｃが対向するように配置された状態でヒートシールされた構造の袋であり、第２フィルムには、基材フィルム（２ａ）／シーラント層（２ｂ）の層構成の部分のみを貫通して厚み方向に打抜きまたは切り込みによる小開口が設けられていることを特徴とする包装袋である。
【０００６】
特許文献１に記載された包装袋は、周縁がすべてヒートシールされているため、加熱する前に内容物を付加したり、調味料を添加するような操作は不可能である。しかし近年、電子レンジによる調理が一般化するに従って、単なる加熱に留まらず、新鮮な野菜等の好みの具材を付加したり、あるいは調味料を添加したりした上で、加熱調理することが求められるようになって来た。
【先行技術文献】
【特許文献】
【０００７】
【特許文献１】特開平１１−１３９４６６号公報
【発明の概要】
【発明が解決しようとする課題】
【０００８】
本発明の解決しようとする課題は、軟包装袋において、一旦開封して具材や調味料を添加して再封止した上で、そのまま電子レンジで加熱することのできる包装袋を提案するものである。
【課題を解決するための手段】
【０００９】
上記の課題を解決するための手段として、請求項１に記載の発明は、それぞれ基材層とシーラント層を有する表面積層体と裏面積層体のシーラント層同士を対向させ、周縁を熱シールして収納部を形成してなる包装袋であって、包装袋の上部に、開封した包装袋を再封止するための、合成樹脂製ファスナーを備え、前記収納部を形成する表面積層体には、加熱によって発生した水蒸気によって包装袋の内圧が高まった時に自動的に水蒸気を開放するための通蒸機構を有し、前記合成樹脂製ファスナーは、嵌合突起と、これに嵌合する嵌合溝をそれぞれ１列づつ有し、閉じた状態を内側から開く場合の嵌合強度が８０Ｎ／５０ｍｍ以上であり、閉じた状態を外側から開く場合の嵌合強度が１０Ｎ／５０ｍｍ以下であることを特徴とする包装袋である。
【００１０】
本発明に係る包装袋は、上部に合成樹脂製ファスナーを備えているので、開封後に具材等を添加して再封止することができる。またファスナーを内側から開く場合の嵌合強度が８０Ｎ／５０ｍｍ以上であれば、電子レンジで加熱した場合でも、発生する水蒸気の圧力によって開いてしまうことがない。
【００１１】
また、請求項２に記載の発明は、それぞれ基材層とシーラント層を有する表面積層体と裏面積層体のシーラント層同士を対向させ、周縁を熱シールして収納部を形成してなる包装袋であって、包装袋の上部に、開封した包装袋を再封止するための、合成樹脂製ファスナーを備え、前記収納部を形成する表面積層体には、加熱によって発生した水蒸気によって包装袋の内圧が高まった時に自動的に水蒸気を開放するための通蒸機構を有し、前記合成樹脂製ファスナーは、嵌合突起と、これに嵌合する嵌合溝をそれぞれ２列づつ有し、閉じた状態を内側から開く場合の嵌合強度が６０Ｎ／５０ｍｍ以上であり、閉じた状態を外側から開く場合の嵌合強度が１０Ｎ／５０ｍｍ以下であることを特徴とする包装袋である。
【００１２】
また、請求項３に記載の発明は、前記通蒸機構が、収納部に島状のシール部を形成し、該島状シール部内の表面積層体に全貫通孔または半貫通孔を設けたものであることを特徴とする請求項１または２に記載の包装袋である。
【００１３】
また、請求項４に記載の発明は、前記通蒸機構が、収納部にサイドシール部から張り出した突起状のシール部を形成し、該突起状シール部内の表面積層体に全貫通孔または半貫通孔を設けたものであることを特徴とする請求項１または２に記載の包装袋である。
【００１４】
また、請求項５に記載の発明は、前記通蒸機構が、収納部を形成する表面積層体に、基材層を貫通するかまたは貫通しない切り込み線を設けたものであることを特徴とする請求項１または２に記載の包装袋である。
【００１５】
また、請求項６に記載の発明は、表面積層体および裏面積層体を構成する基材層が、水蒸気および酸素の透過を抑制するガスバリア層を含むことを特徴とする請求項１〜５のいずれか１項に記載の包装袋である。
【発明の効果】
【００１６】
本発明に係る包装袋は、電子レンジで加熱した際に発生する水蒸気を逃がすための通蒸機構を収納部に備えているため、包装袋のまま電子レンジで加熱調理することができる。一方、収納部の上部には、合成樹脂製のファスナーを備えているので、一旦開封した後、ファスナーを開いて新鮮な野菜など好みの具材や調味料等を添加することができる。
【００１７】
また、ファスナーを内側から開く場合の嵌合強度を８０Ｎ／５０ｍｍ以上としたので、再封止してから加熱しても、水蒸気の圧力でファスナーが開いてしまうことがない。また、閉じた状態を外側から開く場合の嵌合強度を１０Ｎ／５０ｍｍ以下としたことにより、ファスナーを手で開く操作が弱い力でも容易にできる。
【００１８】
請求項２に記載の発明のように、合成樹脂製ファスナーとして、嵌合突起と、これに嵌合する嵌合溝をそれぞれ２列づつ有するものを使用した場合には、閉じた状態を内側から開く場合の嵌合強度が６０Ｎ／５０ｍｍ以上でよいことが実験的に確認されている。
【００１９】
請求項３〜５に記載の発明のような通蒸機構は、いずれも製袋工程の大きな変更や設備の大幅な改造を必要とせず、少ない費用で実現できる。
【００２０】
請求項６に記載の発明のように、表面積層体および裏面積層体を構成する基材層が、水蒸気および酸素の透過を抑制するガスバリア層を含む場合には、包装体の長期保存が可能となり、さまざまな用途に展開出来る。
【図面の簡単な説明】
【００２１】
【図１】図１は、本発明に係る包装袋の一実施態様を模式的に示した平面説明図である。
【図２】図２は、図１のＡ−Ａ´断面を模式的に示した断面説明図である。
【図３】図３は、本発明に係る包装袋の他の実施態様を模式的に示した平面説明図である。
【図４】図４は、図３のＢ−Ｂ´断面を模式的に示した断面説明図である。
【図５】図５は、本発明に係る包装袋の他の実施態様を模式的に示した平面説明図である。
【図６】図６は、本発明に係る包装袋を構成する表面積層体及び裏面積層体の一例における層構成を模式的に示した断面説明図である。
【図７】図７は、本発明に係る包装袋に使用する合成樹脂製ファスナーの一例における断面構造を模式的に示した拡大断面説明図であり、嵌合突起と、これに嵌合する嵌合溝をそれぞれ１列づつ有するタイプを示している。
【図８】図８は、本発明に係る包装袋に使用する合成樹脂製ファスナーの他の例における断面構造を模式的に示した拡大断面説明図であり、嵌合突起と、これに嵌合する嵌合溝をそれぞれ２列づつ有するタイプを示している。
【発明を実施するための形態】
【００２２】
以下図面を参照しながら、本発明に係る包装袋について詳細に説明する。図１は、本発明に係る包装袋１の一実施態様を模式的に示した平面説明図である。また、図２は、図１のＡ−Ａ´断面を模式的に示した断面説明図である。また、図６は、本発明に係る包装袋を構成する表面積層体２及び裏面積層体３の一例における層構成を模式的に示した断面説明図である。
【００２３】
本発明に係る包装袋１は、基材層１６とシーラント層１８を少なくとも有する表面積層体２と裏面積層体３のシーラント層同士を対向させ、周縁を熱シールして収納部８を形成してなる包装袋である。包装袋１の上部には、一旦開封した包装袋を再封止するための合成樹脂製ファスナー１０を備えている。合成樹脂ファスナー１０は、嵌合突起と、これに嵌合する嵌合溝をそれぞれ１列づつ備えている。
【００２４】
収納部８を形成する表面積層体２には、加熱によって発生した水蒸気によって包装袋の内圧が高まった時に自動的に水蒸気を開放するための通蒸機構１１を有する。この例では通蒸機構１１は、島状のシール部１２と、この島状シール部内の表面積層体２に設けた貫
通孔である蒸気抜き孔１３とから成る。
【００２５】
本発明に係る包装袋１は、合成樹脂製ファスナー１０として、閉じた状態を内側から開く場合の嵌合強度が８０Ｎ／５０ｍｍ以上であるものを使用することを特徴とする。合成樹脂製ファスナー１０の、内側から開く場合の嵌合強度が８０Ｎ／５０ｍｍ以上であれば、ファスナーを閉じた状態で電子レンジで加熱しても、発生した水蒸気の圧力によって通蒸機構１１が働いて、水蒸気の圧力を逃がす以前に、開いてしまうことがない。従って内容物が漏れ出す心配がない。
【００２６】
また、合成樹脂ファスナー１０を外側から開く場合の嵌合強度を、１０Ｎ／５０ｍｍ以下としたことにより、使用する人がファスナーを開く操作がやり易くなり、力の弱い人でも容易に開くことができる。
【００２７】
合成樹脂製ファスナー１０としては、図７や図８に示したような左右非対称の断面構造をもつファスナーが好適に用いられる。図７に示した例は、嵌合突起と、これに嵌合する嵌合溝がそれぞれ１列のものであり、図１、図３に示した包装袋に用いられている。
図８に示した例は、嵌合突起と、これに嵌合する嵌合溝がそれぞれ２列のものであり、図５に示した包装袋に用いられている。このような非対称断面を有するファスナーは、内側から開く場合の嵌合強度と外側から開く場合の嵌合強度を異なるものにすることができる。
【００２８】
本発明に係る包装袋１に用いる合成樹脂製ファスナー１０として、図８に示したような、嵌合突起と、これに嵌合する嵌合溝がそれぞれ２列のものの場合には、内側から開く場合の嵌合強度が６０Ｎ／５０ｍｍ以上であれば、加熱時の内圧によって不必要に開いてしまうことがないことが実験的に確認されている。
【００２９】
次に通蒸機構１１について説明する。本発明に係る包装袋の通蒸機構１１としては、一例として図１に示したような、収納部８に島状のシール部１２を形成し、島状シール部１２内の表面積層体２に全貫通孔または半貫通孔である蒸気抜き孔１３を設けたものが挙げられる。
【００３０】
包装袋に収納された内容物が電子レンジで加熱されて水蒸気が発生すると、収納部８の内圧が高まり、島状シール部１２に応力が集中する。その結果、島状シール部１２のシールが後退して剥離し、蒸気抜き孔１３から水蒸気が放出される。
【００３１】
図３に示した例では、通蒸機構１１は、収納部８にサイドシール部４、５から張り出した突起状のシール部１４を形成し、突起状シール部１４内の表面積層体２に全貫通孔または半貫通孔である蒸気抜き孔１３を設けたものである。
【００３２】
この例でも、図１に示した例と同様に、水蒸気の発生に伴って収納部８の内圧が高まり、突起状シール部１４に応力が集中する。その結果、突起状シール部１４のシールが後退して剥離し、蒸気抜き孔１３から水蒸気が放出されるのである。
【００３３】
図５に示した例では、通蒸機構１１は、収納部８を形成する表面積層体２に、基材層１６を貫通するかまたは貫通しない切り込み線１５を設けたものである。この例では、水蒸気の発生に伴って収納部８の内圧が高まり、切り込み線１５に直接引張応力がかかる。その結果、切り込み線１５の部分の表面積層体２が裂けて水蒸気が放出される。
【００３４】
本発明に係る包装袋１に具備する通蒸機構１１としては、上記の例に限定されるものではなく、例えばシール部の一部を弱シール部とする機構や、表面積層体に設けたひだ部に
蒸気排出孔を設けた機構等も採用することができる。
【００３５】
なお、図１、図３、図５に示したような通蒸機構の場合には、表面積層体２に予め蒸気抜き孔１３や切り込み線１５を形成した後に、周縁のシール部や島状シール部１２、突起状シール部１４等を形成する。
【００３６】
本発明に係る包装袋１を構成する積層体に用いる基材層１６としては、耐熱性や引張強度に優れた各種合成樹脂フィルムが用いられる。具体的には、延伸ポリプロピレン樹脂（ＯＰＰ）、ポリエチレンテレフタレート樹脂（ＰＥＴ）、ポリブチレンテレフタレート樹脂（ＰＢＴ）、ポリエチレンナフタレート樹脂（ＰＥＮ）等のポリエステル系樹脂、ナイロン−６、ナイロン−６６等のポリアミド系樹脂、ポリカーボネート樹脂（ＰＣ）等の合成樹脂フィルムである。
【００３７】
基材層１６には、水蒸気および酸素の透過を抑制するガスバリア層１７を含むことができる。ガスバリア層１７としては、ポリ塩化ビニリデンフィルム、ポリビニルアルコールフィルム、エチレンビニルアルコール共重合体フィルム、ガスバリア性ナイロンフィルム、ガスバリア性ポリエチレンテレフタレート（ＰＥＴ）フィルム等のガスバリア性フィルムや、ＰＥＴフィルム等にアルミニウム等の金属を蒸着した金属蒸着フィルムや、ＰＥＴフィルムに酸化アルミニウムや酸化珪素等の無機酸化物を蒸着させた無機酸化物蒸着フィルム、あるいは、ポリ塩化ビニリデンコーティング、水溶性樹脂と無機層状化合物を含有する被膜や金属アルコキシドあるいはその加水分解物とイソシアネート化合物を反応させた被膜からなる樹脂層などのガスバリアコーティング層などを用いることができる。特にＰＥＴフィルムに蒸着層を設けたガスバリア性フィルムは、そのまま基材層として用いることができる。
【００３８】
シーラント層１８としては、ポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００３９】
各層の貼り合わせには、接着剤を用いたドライラミネート法や、押出機を用いた押出しラミネート法を用いることができる。以下実施例に基いて、本発明に係る包装袋についてさらに具体的に説明する。
【実施例】
【００４０】
＜実施例１＞
基材層として、厚さ１５μｍのナイロンフィルムを使用し、シーラント層として厚さ３０μｍの無延伸ＰＰ樹脂フィルム（ＣＰＰ）を用いた。両者をドライラミネートして積層体（１）とした。表面積層体となるべき積層体には、予め所定の場所に蒸気抜き孔を設けておいた。
この積層体（１）を用いて図１に示したような包装袋を作成した。包装袋の寸法は、幅１３０ｍｍ、高さ１３５ｍｍ、上辺から蒸気抜き孔までの距離６０ｍｍとした。合成樹脂ファスナーとしては、図７に示したような嵌合突起と嵌合溝が１本のタイプ（Ａタイプ）で、内側からの嵌合強度が８０Ｎ／５０ｍｍ、外側からの嵌合強度が８Ｎ／５０ｍｍのもの（Ａ−８０タイプ）を用いた。この包装袋に水１００ｃｃを封入して合成樹脂ファスナーを閉じ、６００Ｗの電子レンジで２分加熱した。この時のファスナーの開裂の有無、及びファスナーの開封性を評価した。開封性は、５名のパネラーによる５段階評価の平均とした。
【００４１】
＜実施例２＞
合成樹脂ファスナーとして図７に示したような嵌合突起と嵌合溝が１本のタイプ（Ａタイプ）で、内側からの嵌合強度が１００Ｎ／５０ｍｍ、外側からの嵌合強度が１０Ｎ／５０ｍｍのもの（Ａ−１００タイプ）を用いた以外は、実施例１と同様にして包装袋を作成し、同様に評価した。
【００４２】
＜実施例３＞
合成樹脂ファスナーとして図８に示したような嵌合突起と嵌合溝が２本のタイプ（Ｂタイプ）で、内側からの嵌合強度が６０Ｎ／５０ｍｍ、外側からの嵌合強度が６Ｎ／５０ｍｍのもの（Ｂ−６０タイプ）を用いた以外は、実施例１と同様にして包装袋を作成し、同様に評価した。
【００４３】
＜実施例４＞
合成樹脂ファスナーとして図８に示したような嵌合突起と嵌合溝が２本のタイプ（Ｂタイプ）で、内側からの嵌合強度が８０Ｎ／５０ｍｍ、外側からの嵌合強度が８Ｎ／５０ｍｍのもの（Ｂ−８０タイプ）を用いた以外は、実施例１と同様にして包装袋を作成し、同様に評価した。
【００４４】
＜実施例５＞
合成樹脂ファスナーとして図８に示したような嵌合突起と嵌合溝が２本のタイプ（Ｂタイプ）で、内側からの嵌合強度が１００Ｎ／５０ｍｍ、外側からの嵌合強度が１０Ｎ／５０ｍｍのもの（Ｂ−１００タイプ）を用いた以外は、実施例１と同様にして包装袋を作成し、同様に評価した。
【００４５】
＜実施例６＞
基材層として、厚さ１５μｍのナイロンフィルムを使用し、シーラント層として厚さ６０μｍのＬＬＤＰＥ樹脂フィルムを用いた。両者をドライラミネートして積層体（２）とした。表面積層体となるべき積層体には、予め所定の位置に長さ４０ｍｍのシーラント層を貫通する切り込み線を形成した。
【００４６】
この積層体を用いて、図５に示したような包装袋を作成した。包装袋の寸法は、幅１３０ｍｍ、高さ１３５ｍｍ、上辺から切り込み線までの距離４５ｍｍとした。合成樹脂ファスナーとしては、図７に示したような嵌合突起と嵌合溝が１本のタイプ（Ａタイプ）で、内側からの嵌合強度が８０Ｎ／５０ｍｍ、外側からの嵌合強度が８Ｎ／５０ｍｍのもの（Ａ−８０タイプ）を用いた。この包装袋に水１００ｃｃを封入して同様に評価した。      
【００４７】
＜実施例７＞
合成樹脂ファスナーとして図７に示したような嵌合突起と嵌合溝が１本のタイプ（Ａタイプ）で、内側からの嵌合強度が１００Ｎ／５０ｍｍ、外側からの嵌合強度が１０Ｎ／５０ｍｍのもの（Ａ−１００タイプ）を用いた以外は、実施例６と同様にして包装袋を作成し、同様に評価した。
【００４８】
＜実施例８＞
合成樹脂ファスナーとして図８に示したような嵌合突起と嵌合溝が２本のタイプ（Ｂタイプ）で、内側からの嵌合強度が６０Ｎ／５０ｍｍ、外側からの嵌合強度が６Ｎ／５０ｍｍのもの（Ｂ−６０タイプ）を用いた以外は、実施例６と同様にして包装袋を作成し、同様に評価した。
【００４９】
＜実施例９＞
合成樹脂ファスナーとして図８に示したような嵌合突起と嵌合溝が２本のタイプ（Ｂタイプ）で、内側からの嵌合強度が８０Ｎ／５０ｍｍ、外側からの嵌合強度が８Ｎ／５０ｍｍのもの（Ｂ−８０タイプ）を用いた以外は、実施例６と同様にして包装袋を作成し、同様に評価した。
【００５０】
＜実施例１０＞
合成樹脂ファスナーとして図８に示したような嵌合突起と嵌合溝が２本のタイプ（Ｂタイプ）で、内側からの嵌合強度が１００Ｎ／５０ｍｍ、外側からの嵌合強度が１０Ｎ／５０ｍｍのもの（Ｂ−１００タイプ）を用いた以外は、実施例６と同様にして包装袋を作成し、同様に評価した。
【００５１】
＜実施例１１＞
積層体として、実施例１に用いたものと同様の積層体（１）を用いて、図３に示したような包装袋を作成した。包装袋の寸法は、幅１３０ｍｍ、高さ１３５ｍｍ、上辺から蒸気抜き孔までの距離を６０ｍｍとした。合成樹脂ファスナーとしては、図７に示したような嵌合突起と嵌合溝が１本のタイプ（Ａタイプ）で、内側からの嵌合強度が８０Ｎ／５０ｍｍ、外側からの嵌合強度が８Ｎ／５０ｍｍのもの（Ａ−８０タイプ）を用いた。この包装袋に水１００ｃｃを封入して同様に評価した。
【００５２】
＜実施例１２＞
合成樹脂ファスナーとして図７に示したような嵌合突起と嵌合溝が１本のタイプ（Ａタイプ）で、内側からの嵌合強度が１００Ｎ／５０ｍｍ、外側からの嵌合強度が１０Ｎ／５０ｍｍのもの（Ａ−１００タイプ）を用いた以外は、実施例１１と同様にして包装袋を作成し、同様に評価した。
【００５３】
＜実施例１３＞
合成樹脂ファスナーとして図８に示したような嵌合突起と嵌合溝が２本のタイプ（Ｂタイプ）で、内側からの嵌合強度が６０Ｎ／５０ｍｍ、外側からの嵌合強度が６Ｎ／５０ｍｍのもの（Ｂ−６０タイプ）を用いた以外は、実施例１１と同様にして包装袋を作成し、同様に評価した。
【００５４】
＜実施例１４＞
合成樹脂ファスナーとして図８に示したような嵌合突起と嵌合溝が２本のタイプ（Ｂタイプ）で、内側からの嵌合強度が８０Ｎ／５０ｍｍ、外側からの嵌合強度が８Ｎ／５０ｍｍのもの（Ｂ−８０タイプ）を用いた以外は、実施例１１と同様にして包装袋を作成し、同様に評価した。
【００５５】
＜実施例１５＞
合成樹脂ファスナーとして図８に示したような嵌合突起と嵌合溝が２本のタイプ（Ｂタイプ）で、内側からの嵌合強度が１００Ｎ／５０ｍｍ、外側からの嵌合強度が１０Ｎ／５０ｍｍのもの（Ｂ−１００タイプ）を用いた以外は、実施例１１と同様にして包装袋を作成し、同様に評価した。
【００５６】
＜比較例１＞
合成樹脂ファスナーとして図７に示したような嵌合突起と嵌合溝が１本のタイプ（Ａタイプ）で、内側からの嵌合強度が４０Ｎ／５０ｍｍ、外側からの嵌合強度が４Ｎ／５０ｍｍのもの（Ａ−４０タイプ）を用いた以外は、実施例１と同様にして包装袋を作成し、同様に評価した。
【００５７】
＜比較例２＞
合成樹脂ファスナーとして図７に示したような嵌合突起と嵌合溝が１本のタイプ（Ａタイプ）で、内側からの嵌合強度が６０Ｎ／５０ｍｍ、外側からの嵌合強度が６Ｎ／５０ｍｍのもの（Ａ−６０タイプ）を用いた以外は、実施例１と同様にして包装袋を作成し、同様に評価した。
【００５８】
＜比較例３＞
合成樹脂ファスナーとして図７に示したような嵌合突起と嵌合溝が１本のタイプ（Ａタイプ）で、内側からの嵌合強度が１２０Ｎ／５０ｍｍ、外側からの嵌合強度が１２Ｎ／５０ｍｍのもの（Ａ−１２０タイプ）を用いた以外は、実施例１と同様にして包装袋を作成し、同様に評価した。
【００５９】
＜比較例４＞
合成樹脂ファスナーとして図８に示したような嵌合突起と嵌合溝が２本のタイプ（Ｂタイプ）で、内側からの嵌合強度が４０Ｎ／５０ｍｍ、外側からの嵌合強度が４Ｎ／５０ｍｍのもの（Ｂ−４０タイプ）を用いた以外は、実施例１と同様にして包装袋を作成し、同様に評価した。
【００６０】
＜比較例５＞
合成樹脂ファスナーとして図８に示したような嵌合突起と嵌合溝が２本のタイプ（Ｂタイプ）で、内側からの嵌合強度が１２０Ｎ／５０ｍｍ、外側からの嵌合強度が１２Ｎ／５０ｍｍのもの（Ｂ−１２０タイプ）を用いた以外は、実施例１と同様にして包装袋を作成し、同様に評価した。
【００６１】
＜比較例６＞
合成樹脂ファスナーとして図７に示したような嵌合突起と嵌合溝が１本のタイプ（Ａタイプ）で、内側からの嵌合強度が４０Ｎ／５０ｍｍ、外側からの嵌合強度が４Ｎ／５０ｍｍのもの（Ａ−４０タイプ）を用いた以外は、実施例６と同様にして包装袋を作成し、同様に評価した。
【００６２】
＜比較例７＞
合成樹脂ファスナーとして図７に示したような嵌合突起と嵌合溝が１本のタイプ（Ａタイプ）で、内側からの嵌合強度が６０Ｎ／５０ｍｍ、外側からの嵌合強度が６Ｎ／５０ｍｍのもの（Ａ−６０タイプ）を用いた以外は、実施例６と同様にして包装袋を作成し、同様に評価した。
【００６３】
＜比較例８＞
合成樹脂ファスナーとして図７に示したような嵌合突起と嵌合溝が１本のタイプ（Ａタイプ）で、内側からの嵌合強度が１２０Ｎ／５０ｍｍ、外側からの嵌合強度が１２Ｎ／５０ｍｍのもの（Ａ−１２０タイプ）を用いた以外は、実施例６と同様にして包装袋を作成し、同様に評価した。
【００６４】
＜比較例９＞
合成樹脂ファスナーとして図８に示したような嵌合突起と嵌合溝が２本のタイプ（Ｂタイプ）で、内側からの嵌合強度が４０Ｎ／５０ｍｍ、外側からの嵌合強度が４Ｎ／５０ｍｍのもの（Ｂ−４０タイプ）を用いた以外は、実施例６と同様にして包装袋を作成し、同様に評価した。
【００６５】
＜比較例１０＞
合成樹脂ファスナーとして図８に示したような嵌合突起と嵌合溝が２本のタイプ（Ｂタイプ）で、内側からの嵌合強度が１２０Ｎ／５０ｍｍ、外側からの嵌合強度が１２Ｎ／５０ｍｍのもの（Ｂ−１２０タイプ）を用いた以外は、実施例６と同様にして包装袋を作成し、同様に評価した。
【００６６】
＜比較例１１＞
合成樹脂ファスナーとして図７に示したような嵌合突起と嵌合溝が１本のタイプ（Ａタイプ）で、内側からの嵌合強度が４０Ｎ／５０ｍｍ、外側からの嵌合強度が４Ｎ／５０ｍｍのもの（Ａ−４０タイプ）を用いた以外は、実施例１１と同様にして包装袋を作成し、同様に評価した。
【００６７】
＜比較例１２＞
合成樹脂ファスナーとして図７に示したような嵌合突起と嵌合溝が１本のタイプ（Ａタイプ）で、内側からの嵌合強度が６０Ｎ／５０ｍｍ、外側からの嵌合強度が６Ｎ／５０ｍｍのもの（Ａ−６０タイプ）を用いた以外は、実施例１１と同様にして包装袋を作成し、同様に評価した。
【００６８】
＜比較例１３＞
合成樹脂ファスナーとして図７に示したような嵌合突起と嵌合溝が１本のタイプ（Ａタイプ）で、内側からの嵌合強度が１２０Ｎ／５０ｍｍ、外側からの嵌合強度が１２Ｎ／５０ｍｍのもの（Ａ−１２０タイプ）を用いた以外は、実施例１１と同様にして包装袋を作成し、同様に評価した。
【００６９】
＜比較例１４＞
合成樹脂ファスナーとして図８に示したような嵌合突起と嵌合溝が２本のタイプ（Ｂタイプ）で、内側からの嵌合強度が４０Ｎ／５０ｍｍ、外側からの嵌合強度が４Ｎ／５０ｍｍのもの（Ｂ−４０タイプ）を用いた以外は、実施例１１と同様にして包装袋を作成し、同様に評価した。
【００７０】
＜比較例１５＞
合成樹脂ファスナーとして図８に示したような嵌合突起と嵌合溝が２本のタイプ（Ｂタイプ）で、内側からの嵌合強度が１２０Ｎ／５０ｍｍ、外側からの嵌合強度が１２Ｎ／５０ｍｍのもの（Ｂ−１２０タイプ）を用いた以外は、実施例１１と同様にして包装袋を作成し、同様に評価した。以上の評価結果を表１にまとめた。
【００７１】
【表１】
2019177895.tif 000003
【００７２】
表１の結果から、本発明に係る包装袋の優位性が確認される。
【符号の説明】
【００７３】
１・・・包装袋
２・・・表面積層体
３・・・裏面積層体
４、５・・・サイドシール部
６・・・ボトムシール部
７・・・トップシール部
８・・・収納部
９・・・開封ノッチ
１０・・・合成樹脂製ファスナー
１１・・・通蒸機構
１２・・・島状シール部
１３・・・蒸気抜き孔
１４・・・突起状シール部
１５・・・切り込み線
１６・・・基材層
１７・・・ガスバリア層
１８・・・シーラント層
【図１】
2019177895.tif 000004
【図２】
2019177895.tif 000005
【図３】
2019177895.tif 000006
【図４】
2019177895.tif 000007
【図５】
2019177895.tif 000008
【図６】
2019177895.tif 000009
【図７】
2019177895.tif 000010
【図８】
2019177895.tif 000011